(57)【要約】【課題】調光シート内で分割された領域毎に透明／不透明、あるいは、ヘイズや濃度などの中間値、を制御することが可能であり、且つ、白抜けや、液晶反転時の瞬間透過状態の発生の無い調光シートおよび調光モジュールを提供する。【解決手段】長方形の調光機能部３０を、その長方形の長手方向に直交する方向に、且つ同一平面上に、複数個連接してなる調光モジュール１００であって、調光機能部は、透明樹脂フィルム１と、第１透明導電層２と、液晶調光層３と、第２透明導電層４と、透明樹脂フィルムと、を順次積層してなる単位構造１０を、接着層を介して２層以上積層してなり、各単位構造が、それらの第１透明導電層と第２透明導電層に印加する電圧を各々独立して制御可能とすることにより、それぞれ異なる光透過率に設定可能に、且つ印加する電圧の位相をシフト可能に、備えられていることを特徴とする調光モジュール。【選択図】図１
2019020511.tif 000002
【特許請求の範囲】
【請求項１】
長方形状の調光機能部を複数有し、該調光機能部は同一平面上であって該長方形の長手方向に直交する方向に複数個連接されており、
前記調光機能部は、透明樹脂フィルムと、第１透明導電層と、液晶調光層と、第２透明導電層と、透明樹脂フィルムと、を順次積層してなる単位構造を、接着層を介して２層以上積層されており、
前記第１透明導電層と前記第２透明導電層に印加する電圧を前記単位構造ごとに独立して制御する制御手段と、を備えることを特徴とする調光モジュール。
【請求項２】
請求項１に記載の調光モジュールにおいて、
前記調光機能部と同形状のパターンタッチセンサが、各調光機能部に積層されており、
前記調光機能部への電圧印加は、前記パターンタッチセンサにより独立してＯＮまたはＯＦＦ自在に構成されていることを特徴とする調光モジュール。
【請求項３】
請求項１または２に記載の調光モジュールと、
予め設定した時刻に、前記各単位構造の第１透明導電層と第２透明導電層に所定の電圧を印加することにより各単位構造のＯＮまたはＯＦＦを独立して可能とするタイマー機能付き電源と、を備えることを特徴とする電子ブラインド。
【請求項４】
長方形の長手方向に沿って、ハの字状に成形してなる調光機能を持つ単位構造の角部を、上または下のいずれかに揃えて、且つ複数の単位構造を上下方向に離間させて、連接することにより得たブラインド構造を有する調光モジュールであって、
前記単位構造の角部を介して一方の側ともう一方の側は、それぞれ独立して電圧印加可能な第１の調光機能部と第２の調光機能部となっており、
前記第１および前記第２の調光機能部は、透明樹脂フィルムと、第１透明導電層と、液晶調光層と、第２透明導電層と、透明樹脂フィルムと、を順次積層してなり、
前記第１透明導電層と前記第２透明導電層に印加する電圧を前記調光機能部ごとに独立して制御する制御手段を備えることを特徴とする調光モジュール。
【請求項５】
請求項４に記載の調光モジュールにおいて、
各調光機能部と同形状のパターンタッチセンサが、各調光機能部に積層されており、
各調光機能部への電圧印加は、前記パターンタッチセンサにより独立してＯＮまたはＯＦＦ自在に構成されていることを特徴とする調光モジュール。
【請求項６】
請求項４または５に記載の調光モジュールと、
予め設定した時刻に、前記第１の調光機能部と前記第２の調光機能部に所定の電圧を印加することにより各調光機能部のＯＮまたはＯＦＦを独立して可能とするタイマー電源と、を備えることを特徴とする電子ブラインド。
【請求項７】
前記パターンタッチセンサは、透明樹脂フィルムを有し、
前記パターンタッチセンサの透明樹脂フィルムは、前記調光機能部の透明樹脂フィルムに、透明接着層を介して一体化されており、
各透明樹脂フィルムの厚さが１ｍｍ以上であることを特徴とする請求項２〜５のいずれかに記載の調光モジュール。
【発明の詳細な説明】
【技術分野】
【０００１】
本発明は、光透過率を可逆的に変えることができる調光シートを備えた調光モジュールとそれを用いた電子ブラインドに関する。
【背景技術】
【０００２】
調光装置または調光装置を構成する調光モジュールが備える調光シートの型式としては、例えば、エレクトロクロミック型、偏光板型、液晶型が知られている。
【０００３】
エレクトロクロミック型の調光シートは、調光シートに印加される電場の強さに応じて可逆的に酸化還元反応を進めると共に、その酸化還元反応の進行に伴って光の吸収率を変える（例えば、特許文献１を参照）。
【０００４】
偏光板型の調光シートは、相互に異なる光学特性を有した２つの偏光板を相対的に移動させて、２つの偏光板を透過する光の透過率を変える（例えば、特許文献２を参照）。
液晶型の調光シートは、液晶分子に印加される電場の大きさに応じて、光を散乱する状態と、光を透過する状態との間で、液晶分子の配向を可逆的に変える。
【０００５】
液晶型の調光シートが有する形態として、高分子ネットワーク型液晶（ＰＮＬＣ：Ｐｏｌｙｍｅｒ  Ｎｅｔｗｏｒｋ  Ｌｉｑｕｉｄ  Ｃｒｙｓｔａｌ）、高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）、カプセル型ネマティック液晶（ＮＣＡＰ：Ｎｅｍａｔｉｃ  Ｃｕｒｖｉｌｉｎｅａｒ  Ａｌｉｇｎｅｄ  Ｐｈａｓｅ）等が知られている。
【０００６】
高分子ネットワーク型液晶は、３次元の網目状を有した高分子ネットワークを備え、高分子ネットワークのなかの相互に連なる空隙のなかに、液晶組成物を保持する（例えば、特許文献３を参照）。
【０００７】
高分子分散型液晶は、孤立した多数の空隙を高分子層のなかに備え、高分子層に分散した各空隙のなかに液晶組成物を保持する（例えば、特許文献４を参照）。
カプセル型ネマティック液晶は、カプセル状を有した液晶組成物を高分子層のなかに保持する（例えば、特許文献５を参照）。
【０００８】
この様な液晶を用いた調光モジュールとしては、例えば図９および図１０に示した様なものが従来から知られている。
図９は、長方形または短冊状の調光モジュール１０を例示したものであり、その正面図を例示したものである。この様な調光モジュール１０を、例えば透明樹脂フィルムや透明樹脂板に、調光モジュール１０の長手方向に直交する方向に複数個、連接することにより、従来のブラインドに類似した光学的な遮蔽効果を備えた電子ブラインドを作製することができる。
【０００９】
図１０は、図９の調光モジュール１０の層構成を例示した断面図であり、透明樹脂フィルム１と第１透明電極層２と液晶調光層３と第２透明電極層４と透明樹脂フィルム１が順次積層された構成例を示している。この様な調光モジュール１０は、十分な光学的な効果を達成するため、９０ボルト前後の駆動電圧を第１透明電極層２と第２透明電極層４に印加しており、比較的に高い電圧を必要としているのが通常である。そのため、低電圧化が求められている。
【００１０】
調光シートを駆動する方式として、ノーマル方式とリバース方式とが知られている。
ノーマル方式で駆動される調光シートは、非通電時において低い光透過率を有し、電力を消費することによって光透過率を高める。非通電時に低い光透過率を有するノーマル方式は、例えば、光の遮蔽性を頻繁に必要とするスクリーンなどへの適用に好適である。
【００１１】
リバース方式で駆動される調光シートは、非通電時において高い光透過率を有し、電力の消費によって光透過率を下げる。非通電時に高い光透過率を有するリバース方式は、例えば、光透過率による安全性を非常時に必要とする建材などへの適用に好適である（例えば、特許文献６を参照）。
【００１２】
また、調光モジュールの制御手法としては、調光シートの全面に亘って透明または不透明の状態を切り替える手法が一般的であり、調光シート内で分割された領域毎に透明または不透明（あるいは、ヘイズや濃度などの中間値）を制御することが可能な調光シートは知られていない。
【００１３】
また、特許文献７に記載された調光シートとタッチパネルを組み合わせた技術においては、分割領域毎に独立した操作が可能である調光モジュールが記載されているが、各分割領域は単色であり、階調的な調光を実現することはできなかった。
また、従来からの課題であるが、経時劣化による部分的な散乱度低下による白抜けや、液晶反転時の瞬間透過状態の発生については根本的な解決策を見出せない状況が続いていた。
また、調光シートの分割された領域間の調光シートが配置されていない間隙は透明であるため、日射や視線を遮蔽することができない問題がある。
【先行技術文献】
【特許文献】
【００１４】
【特許文献１】特開２０１６−１５７０２１号公報
【特許文献２】特開２０１５−１４０５３５号公報
【特許文献３】特開２００６−１６２８２３号公報
【特許文献４】米国特許第４６８８９００号公報
【特許文献５】米国特許第４４３５０４７号公報
【特許文献６】特開２０００−３２１５６２号公報
【特許文献７】特願２０１６−１９５１１１号
【発明の概要】
【発明が解決しようとする課題】
【００１５】
上記の事情に鑑み、本発明は、調光シート内で分割された領域毎に光透過率を制御することで、階調表示を可能とし、且つ低電圧駆動が可能で、且つ、白抜けや、液晶反転時の瞬間透過状態の発生の無い調光シートおよび調光モジュールを提供することを課題とする。
【課題を解決するための手段】
【００１６】
上記の課題を解決する手段として、本発明の一つの態様は、長方形状の調光機能部を複数有し、該調光機能部は同一平面上であって該長方形の長手方向に直交する方向に複数個連接されており、
前記調光機能部は、透明樹脂フィルムと、第１透明導電層と、液晶調光層と、第２透明導電層と、透明樹脂フィルムと、を順次積層してなる単位構造を、接着層を介して２層以上積層されており、
前記第１透明導電層と前記第２透明導電層に印加する電圧を前記単位構造ごとに独立して制御する制御手段と、を備えることを特徴とする調光モジュールである。
【００１７】
また、本発明の一つの態様は、前記の調光モジュールにおいて、
前記調光機能部と同形状のパターンタッチセンサが、各調光機能部に積層されており、
前記調光機能部への電圧印加は、前記パターンタッチセンサにより独立してＯＮまたはＯＦＦ自在に構成されていることを特徴とする調光モジュールである。
【００１８】
また、本発明の一つの態様は、前記の調光モジュールと、
予め設定した時刻に、前記各単位構造の第１透明導電層と第２透明導電層に所定の電圧を印加することにより各単位構造のＯＮまたはＯＦＦを独立して可能とするタイマー機能付き電源と、を備えることを特徴とする電子ブラインドである。
【００１９】
また、本発明の一つの態様は、長方形の長手方向に沿って、ハの字状に成形してなる調光機能を持つ単位構造の角部を、上または下のいずれかに揃えて、且つ複数の単位構造を上下方向に離間させて、連接することにより得たブラインド構造を有する調光モジュールであって、
前記単位構造の角部を介して一方の側ともう一方の側は、それぞれ独立して電圧印加可能な第１の調光機能部と第２の調光機能部となっており、
前記第１および前記第２の調光機能部は、透明樹脂フィルムと、第１透明導電層と、液晶調光層と、第２透明導電層と、透明樹脂フィルムと、を順次積層してなり、
前記第１透明導電層と前記第２透明導電層に印加する電圧を前記調光機能部ごとに独立して制御する制御手段を備えることを特徴とする調光モジュールである。
【００２０】
また、本発明の一つの態様は、前記のブラインド構造を有する調光モジュールにおいて、
各調光機能部と同形状のパターンタッチセンサが、各調光機能部に積層されており、
各調光機能部への電圧印加は、前記パターンタッチセンサにより独立してＯＮまたはＯＦＦ自在に構成されていることを特徴とする調光モジュールである。
【００２１】
また、本発明の一つの態様は、前記のブラインド構造を有する調光モジュールと、
予め設定した時刻に、前記第１の調光機能部と前記第２の調光機能部に所定の電圧を印加することにより各調光機能部のＯＮまたはＯＦＦを独立して可能とするタイマー電源と、を備えることを特徴とする電子ブラインドである。
【００２２】
また、本発明の一つの態様は、前記パターンタッチセンサは、透明樹脂フィルムを有し、
前記パターンタッチセンサの透明樹脂フィルムは、前記調光機能部の透明樹脂フィルムに、透明接着層を介して一体化されており、
各透明樹脂フィルムの厚さが１ｍｍ以上であることを特徴とする調光モジュールである。
【発明の効果】
【００２３】
本発明の調光モジュールによれば、２層以上積層した調光シートを分割し、領域毎に光透過率を制御可能としているため、低電圧駆動および階調表示が可能となり、且つ積層した調光シートであることにより、白抜けの問題を回避でき、また積層した２層以上の調光シートの位相をずらした駆動により、液晶反転時の瞬間透明状態の発生が無い調光モジュールおよびそれを使用した電子ブラインドを提供することができる。
【図面の簡単な説明】
【００２４】
【図１】本発明の調光モジュールに使用する積層調光機能部の積層構造を例示する概略断面図。
【図２】本発明の調光モジュールに使用する積層調光機能部の積層構造を例示する概略断面図。
【図３】本発明の調光モジュールを例示する概略正面図。
【図４】本発明の調光モジュールを例示する概略正面図。
【図５】本発明の調光モジュールの第一の実施形態に対応した３枚重ね（３層構成）の調光モジュールにおいて低電圧化が可能であることを例示した説明図。
【図６】本発明のブラインド構造を有する調光モジュールの単位構造の説明図であって、（ａ）は単位構造の俯瞰図、（ｂ）は単位構造の長手方向から見た単位構造の断面図、である。
【図７】本発明のブラインド構造を有する調光モジュールの説明図であって、（ａ）は俯瞰図の例、（ｂ）は単位構造の長手方向から見た断面図の例、を示している。
【図８】本発明の調光モジュールの第二の実施形態に対応した、ハの字状に形成してなる調光機能を持つ単位構造からなるブラインド構造を有する調光モジュールにおける動作例の説明図。
【図９】従来の単層調光機能部を備えた調光機能部を１つ取り出して例示した正面図。
【図１０】従来の単層調光機能部を備えた調光機能部の積層構造を例示した断面図。
【発明を実施するための形態】
【００２５】
＜第一の実施形態＞
（調光モジュール）
本発明の調光モジュールの第一の実施形態は、図３および図４に例示したように、長方形の調光機能部２０、３０を、その長方形の長手方向に直交する方向に、且つ同一平面上に、複数個連接してなる調光モジュール１００、２００である。
【００２６】
図５は、図４に示した調光モジュール２００について、調光機能部３０（図２参照）を使用した場合を例にとって、駆動電圧を低電圧化できることを示した説明図である。
調光機能部３０は、単層の調光機能部１０を３層重ねにしたものである。単層の調光機能部１０の場合に、十分な遮光性を発揮するには、９０ボルト程度の電圧が必要であるが、３層に重ねた調光機能部３０の場合は、駆動電圧を１／３の３０ボルト程度に低減できる。
図５の左側に示したものは、調光機能部３０に電圧をかけていない、つまり光を透過する状態を示している。
図５の中央の列には、遮光モード（電圧がＯＮの状態）になっている状態の単層の調光機能部１０を示している。上から３段目までは、３０ボルトをかけた単層の調光機能部１０である。各単層の調光機能部１０には３０ボルトしかかけていないため、遮光性が悪いが、３つを重ね合わせた一番下の４段目の３層構成の調光モジュール３０は、単層の調光モジュールで９０ボルトをかけた場合と同等の十分高い遮光性を示すことを例示したものである。
【００２７】
図５の右側の列にも上から３つの調光機能部１０からなるブラインドモードの調光モジュールを示している。中央の列に示したものと異なるのは、単層の各調光機能部１０に印加する電圧である。この場合は、各単層の調光モジュール１０に印加する電圧を、左側から右側に向って０ボルト、１０ボルト、２０ボルト、３０ボルトとしている。その印加電圧の組合せを、繰り返している。一番下の４段目の調光モジュール２００は、それら３つの単層の調光機能部１０からなる調光モジュールを積層してなるものである。その結果、０ボルトが印加された調光機能部は、３層積層されても高い光透過率を示すが、１０ボルト、２０ボルト、３０ボルトが印加された調光機能部では、それぞれ３倍の３０ボルト、６０ボルト、９０ボルトが印加された単層の調光機能部１０からなる調光モジュールと同等の光透過率となる。そのため、それぞれの光透過率が異なるためストライプ状の模様が現れる調光モジュールとなる。この様に、３層構成の積層構成を備えた本発明の調光モジュール２００においては、駆動電圧を１／３にすることが可能である。
【００２８】
（調光機能部）
調光機能部２０、３０は、図１および図２に例示したように、透明樹脂フィルム１と、第１透明導電層２と、液晶調光層３と、第２透明導電層４と、透明樹脂フィルム１と、を順次積層してなる調光機能部の単位構造１０を、接着層５を介して２層および３層積層することによって形成されている。図１は２層を、図２は３層の調光機能部の単位構造１０を積層した例を示している。なお、本発明の調光機能部は、２層および３層に限定せず、２層以上とする。以下の説明においては、便宜上、２層および３層の場合について説明する。
【００２９】
各調光機能部２０、３０の単位構造１０が、液晶調光層３をサンドイッチしている第１および第２透明導電層２、４間に印加する電圧を各々独立して制御可能とすることにより、それぞれ異なる光透過率に設定可能に、且つ印加する電圧の位相をシフト可能に、備えられている。この様にすることで、各調光機能部２０、３０の光透過率をさまざまな値とすることができる。
【００３０】
各調光機能部の単位構造１０は、各々の第１透明電極層と第２透明電極層の間に印加する液晶調光層３を駆動する電圧の位相をシフトするように制御されている。これによって、液晶調光層３の液晶が反転する時に瞬間的に発生する透明状態を有効に防止することができる。すなわち、２層以上の調光機能部の単位構造１０に印加する電圧の位相をずらしておくことにより、各単位構造１０が瞬間的に透明になる瞬間がずれる。そのため、調光モジュール全体として瞬間的に透明状態になる現象を回避することができる。このことは、後述する第２の実施形態においても同じである。
【００３１】
また、本発明の調光モジュール１００、２００の調光機能部２０、３０には、調光機能部と同形状のパターンタッチセンサ（図示省略）が積層されていても良い。この様に構成することにより、調光機能部２０、３０への電圧印加をパターンタッチセンサにより独立してＯＮ・ＯＦＦすることが可能になる。これにより、ユーザが実際にブラインドをタッチすることで調光を実現することが可能になり、従来のブラインドとは異なる直感的操作を備えた電子ブラインドを提供することができる。
【００３２】
（電子ブラインド）
本発明の調光モジュール１００、２００を使用した電子ブラインドとしては、予め設定した時刻に、各単位構造２０、３０の第１透明導電層２と第２透明導電層４に予め設定した電圧を印加することにより、各単位構造２０、３０のＯＮ・ＯＦＦを独立して可能とするタイマー電源（図示省略）と、を備える。
【００３３】
また、上記した電子ブラインドのタイマー電源の代わりに、調光モジュール１００、２００の各単位構造２０、３０の第１透明導電層２と第２透明導電層４に印加する電圧を自在にプログラム可能な制御装置を使用しても良い。
【００３４】
以上に説明した本発明の調光モジュールの第一の実施形態により、従来の調光モジュールではできなかった階調表示、低電圧駆動、白抜け対策、および液晶反転時の瞬間透明状態を無くす事、が可能になる。
【００３５】
＜第二の実施形態＞
（調光モジュール）
本発明の調光モジュールの第二の実施形態は、図７（ａ）および（ｂ）に例示したように、長方形の長手方向に沿って、ハの字状に成形してなる調光機能を持つ単位構造４０の
角部４３を、上または下のいずれかに揃えて、且つ複数の単位構造４０を上下方向に離間させて、連接することにより得たブラインド構造を有する調光モジュール３００である。なお、図７（ａ）および（ｂ）においては、各単位構造４０を離間し、保持するための構造の表示を省略しているが、従来から使用されて来た各種のブラインド構造において使用されてきた公知の手段を好適に使用することが可能である。離間する距離は、単位構造４０の寸法および角部４３の角度と合わせた値に設計することができる。
【００３６】
（調光機能部）
図６（ａ）および（ｂ）に示した様に、調光機能部は、ハの字状に形成してなる調光機能を持つ単位構造４０となっている。角部４３を介して、一方の側には長方形の第１調光機能部４１が、もう一方の側には、同形状の第２調光機能部４２が、ハの字状になるように一定の角度をもって連接して備えられており、また、それぞれ独立して電圧印加することにより、光透過率の制御が可能となっている。
【００３７】
第１および第２調光機能部４１、４２は、透明樹脂フィルム１と、第１透明導電層２と、液晶調光層３と、第２透明導電層４と、透明樹脂フィルム１と、が順次積層された調光機能部の単位積層構造１０が２層以上積層されたものである事は、第一の実施形態と同じである。
【００３８】
各単位構造４０の第１調光機能部４１と第２調光機能部４２の第１透明導電層２と第２透明導電層４に印加する電圧を、各々独立して制御可能とすることにより、それぞれ異なる光透過率に設定可能となる。また各単位構造４０は、印加する電圧の位相をシフト可能に構成されている。
【００３９】
また、ブラインド構造を有する調光モジュール３００の第１調光機能部４１と第２調光機能部４２には、それらと同じ大きさと同じ形状の透明樹脂フィルムに形成されたパターンタッチセンサ（図示省略）が、第１調光機能部４１と第２調光機能部４２に印加する電圧を、独立にＯＮ・ＯＦＦ可能に積層されていても良い。
【００４０】
（電子ブラインド）
本発明の調光モジュール３００を使用した電子ブラインドとしては、予め設定した時刻に、各単位構造４０の第１の調光機能部４１および第２の調光機能部４２のそれぞれの第１透明導電層２と第２透明導電層４に予め設定した電圧を印加することにより、各単位構造４０の第１の調光機能部４１および第２の調光機能部４２のそれぞれの第１透明導電層２と第２透明導電層４のＯＮ・ＯＦＦを独立して可能とするタイマー電源（図示省略）と、調光モジュール３００と、を備えた構成とすることができる。
【００４１】
また、上記した電子ブラインドのタイマー電源の代わりに、調光モジュール３００の各単位構造４０の第１の調光機能部４１および第２の調光機能部４２のそれぞれの第１透明導電層２と第２透明導電層４に印加する電圧を自在にプログラム可能な制御装置を使用しても良い。
【００４２】
（電子ブラインドの動作）
次に図８を用いて、本発明の調光モジュール３００を使用した電子ブラインドの動作例を説明する。
【００４３】
図８は、本発明の調光モジュールの第二の実施形態の調光モジュールを使用した電子ブラインドの典型的な例を示す。
図８（ａ）は、本発明の調光モジュール３００を使用した電子ブラインドの第１の調光機能部４１を室内側に、第２の調光機能部４２を室外側である窓ガラス側に配置した場合
を例示している。室外は晴れており、比較的に高い位置に太陽がある場合を想定している。
図８（ａ）は、本発明の調光モジュール３００には電圧が印加されていないＯＦＦの状態であり、透明な状態になっている。そのため、太陽光線は入射しており、外から室内が見える状態である。電圧が印加されていないＯＦＦの状態で、透明になるか、逆に遮光状態になるか、は調光機能部に使用する液晶調光層の選択によって変更可能である。
【００４４】
図８（ｂ）は、室内側にある第１の調光機能部４１に電圧を印加して遮光状態になっている。一方、室外側の第２の調光機能部４２は、電圧がＯＦＦであり、透明な状態となっている。そのため、太陽光線は、第１の調光機能部４１によって一部が遮蔽され、一部が室内まで入射可能な状態となっていると同時に、室外から室内を見ることはできないが、室外の上方から室内の下方に向う方向は見ることができる状態である。
【００４５】
図８（ｃ）は、（ｂ）とは逆に、室外側の第２の調光機能部４２に電圧が印加されて遮光状態になっている。一方、室外側の第１の調光機能部４１は、電圧がＯＦＦであり、透明な状態となっている。そのため、太陽光線は遮光され、室外からは、室外の下方から室内の上方に向う方向は見る事ができる状態である。
【００４６】
図８（ｄ）は、室内側の一番上にある第１の調光機能部４１のみ、電圧が印加された状態であり、他の調光機能部はすべて電圧がＯＦＦで透明な状態である。１つの第１の調光機能部４１のみに電圧を印加するためには、第１の調光機能部４１が、すべてパターンタッチセンサが、個々の第１の調光機能部４１の電圧印加を独立してＯＮ・ＯＦＦ可能に積層されている場合に可能となる。
【００４７】
図８（ｅ）は、室内側の第１の調光機能部４１を、１つとびに電圧印加された状態を示している。パターンタッチセンサを備えた第１の調光機能部４１に、１つとびに指でタッチすることにより可能である。
【００４８】
図８（ｆ）は、室内側の第１の調光機能部４１を、最上段から中段まですべてＯＮし、遮光した状態である。そのため、斜め上方にある太陽からの光線はある程度入射するが、外側からは内部が見えない状態である。唯一、太陽光線が入射するのと同じ、斜め上方からは内部を見ることができる。
【００４９】
以上に説明した本発明の調光モジュールの第二の実施形態により、従来の調光モジュールではできなかった階調表示、低電圧駆動、白抜け対策、および液晶反転時の瞬間透明状態を無くす事、に加え、更に多用な階調性を備えた遮光および視線の遮蔽が可能になる。また、調光シート内で分割された領域と領域の間に形成される透明な部分における日射や視線を遮蔽することが可能になる。
【００５０】
以上、本発明の調光モジュールの実施形成の２つの形態について説明した。これらの中で使用される調光機能部とパターンタッチセンサは、それぞれの支持基材である透明樹脂フィルムの厚さが１ｍｍ以上であり、調光機能部とパターンタッチセンサは透明接着層を介して一体化されている。
【符号の説明】
【００５１】
１・・・透明樹脂フィルム
２・・・第１透明導電層
３・・・液晶調光層
４・・・第２透明導電層
５・・・接着層
１０・・・調光機能部の単位構造
２０、３０・・・調光機能部
４０・・・ハの字状に形成してなる調光機能を持つ単位構造
４１・・・第１の調光機能部
４２・・・第２の調光機能部
４３・・・角部
１００、２００・・・調光モジュール
３００・・・ブラインド構造の調光モジュール
【図１】
2019020511.tif 000003
【図２】
2019020511.tif 000004
【図３】
2019020511.tif 000005
【図４】
2019020511.tif 000006
【図５】
2019020511.tif 000007
【図６】
2019020511.tif 000008
【図７】
2019020511.tif 000009
【図８】
2019020511.tif 000010
【図９】
2019020511.tif 000011
【図１０】
2019020511.tif 000012